(57)【要約】  学習者が自らの判断で書取りの反復回数を決定して書取り学習を行うことができる書取り学習支援システムを提供する。書取り学習支援システム（１）は、画面表示及び手書き入力が可能な表示入力部（３２）と、表示入力部（３２）に書取り対象の文字又は文字列を反復して手書き入力する書取り学習をするための書取り学習画面（３００）を表示させ、書取り学習画面（３００）を表示した表示入力部（３２）に対する手書き入力を検出する学習処理部（１２）とを備え、学習処理部（１２）は、手書き入力の状態に基づく任意の反復回数で、書取り対象の文字又は文字列の書取り学習を終了する。
2018105203.tif 000002
【特許請求の範囲】
【請求項１】
画面表示及び手書き入力が可能な表示入力部と、
前記表示入力部に書取り対象の文字又は文字列を反復して手書き入力する書取り学習をするための書取り学習画面を表示させ、前記書取り学習画面を表示した前記表示入力部に対する手書き入力を検出する学習処理部と、
を備え、
前記学習処理部は、前記手書き入力の状態に基づく任意の反復回数で、前記書取り対象の文字又は文字列の前記書取り学習を終了する、書取り学習支援システム。
【請求項２】
前記書取り学習画面は、書取り対象の文字又は文字列を手書き入力するため書取り枠を含み、
前記学習処理部は、前記書取り枠に対する手書き入力が所定の時間継続して検出されなかったときに、前記書取り対象の文字又は文字列の前記書取り学習を終了する、請求項１に記載の書取り学習支援システム。
【請求項３】
前記書取り学習画面は、前記書取り学習の終了を指示するための終了指示手段を含み、
前記学習処理部は、前記終了指示手段に対する指示がされたときに、前記書取り対象の文字又は文字列の前記書取り学習を終了する、請求項１に記載の書取り学習支援システム。
【請求項４】
前記学習処理部は、前記書取り学習画面に対して手書き入力された文字又は文字列が正しいか否かを判断し、正しい場合に、前記書取り対象の文字又は文字列の前記書取り学習を終了可能とする、請求項１ないし３のいずれかに記載の書取り学習支援システム。
【請求項５】
画面表示及び手書き入力が可能な学習者端末と通信を行う書取り学習支援サーバであって、
前記学習者端末から前記手書き入力の信号を受信し、
前記表示入力部に書取り対象の文字又は文字列を反復して手書き入力する書取り学習をするための書取り学習画面を表示させ、
前記書取り学習画面を表示した前記表示入力部に対する手書き入力を検出し、
前記手書き入力の状態に基づく任意の反復回数で、前記書取り対象の文字又は文字列の前記書取り学習を終了する、
書取り学習支援サーバ。
【請求項６】
画面表示及び手書き入力が可能な表示入力部と、
前記表示入力部に書取り対象の文字又は文字列を反復して手書き入力する書取り学習をするための書取り学習画面を表示させ、前記書取り学習画面を表示した前記表示入力部に対する手書き入力を検出する学習処理部と、
を備え、
前記学習処理部は、前記手書き入力の状態に基づく任意の反復回数で、前記書取り対象の文字又は文字列の前記書取り学習を終了する、書取り学習支援装置。
【請求項７】
画面表示及び手書き入力が可能な学習者端末と通信を行う書取り学習支援サーバにて、
前記学習者端末から前記手書き入力の信号を受信し、
前記学習者端末に書取り対象の文字又は文字列を反復して手書き入力する書取り学習をするための書取り学習画面を表示させ、
前記書取り学習画面を表示した前記学習者端末に対する手書き入力を検出し、
前記手書き入力の状態に基づく任意の反復回数で、前記書取り対象の文字又は文字列の前記書取り学習を終了する、
書取り学習支援方法。
【請求項８】
画面表示及び手書き入力が可能な表示入力部を備えた書取り学習支援装置のコンピュータに、
前記表示入力部に書取り対象の文字又は文字列を反復して手書き入力する書取り学習をするための書取り学習画面を表示させるステップと、
前記書取り学習画面を表示した前記表示入力部に対する手書き入力を検出するステップと、
前記手書き入力の状態に基づく任意の反復回数で、前記書取り対象の文字又は文字列の前記書取り学習を終了するステップと、
を実行させる書取り学習支援プログラム。
【発明の詳細な説明】
【関連出願の相互参照】
【０００１】
本出願では、２０１６年１２月５日に日本国に出願された特許出願番号２０１６−２３６２２９の利益を主張し、当該出願の内容は引用することによりここに組み込まれているものとする。
【技術分野】
【０００２】
本発明は、書取り（又は反復筆記）学習を支援する書取り学習支援システム、およびそれに用いる書取り学習支援サーバ、並びに学習支援装置、書取り学習支援方法、書取り学習支援方法に関する。
【背景技術】
【０００３】
従来、漢字、アルファベット、単語等の書取り学習において、個人に合わせて最適な書取り回数を提示することで効率的な学習方法を提供するための書取り学習支援システムが知られている（例えば、特許文献１）。【０００４】
このシステムでは、過去の書取り回数とテストの結果を保存して、かつ、利用者から集計した成績から判定した単語別の難易度を参照し、学習開始時に対象の単語の最適な書取り回数を決定する。
【先行技術文献】
【特許文献】
【０００５】
【特許文献１】特開２０１６−６５９８７号公報
【発明の概要】
【発明が解決しようとする課題】
【０００６】
しかしながら、上記のシステムでは、過去の書取り回数とテストの結果に基づいて書取り回数を決定しているので、各単語の最初の書取りでは、学習者の状態によらずにシステムによって書取り回数が決定されることになる。【０００７】
本発明は、学習者が自らの判断で書取りの反復回数を決定して書取り学習を行うことができる書取り学習支援システムを提供することを目的とする。
【課題を解決するための手段】
【０００８】
本発明の第１の態様の書取り学習支援システムは、画面表示及び手書き入力が可能な表示入力部と、前記表示入力部に書取り対象の文字又は文字列を反復して手書き入力する書取り学習をするための書取り学習画面を表示させ、前記書取り学習画面を表示した前記表示入力部に対する手書き入力を検出する学習処理部とを備え、前記学習処理部は、前記手書き入力の状態に基づく任意の反復回数で、前記書取り対象の文字又は文字列の前記書取り学習を終了する構成を有している。【０００９】
この構成により、学習処理部は、表示入力部への手書き入力の状態に基づく反復回数で書取り学習を終了するので、学習者は任意の反復回数で書取り対象の文字又は文字列の書取り学習を終了することができる。【００１０】
本発明の第２の態様の書取り学習支援システムは、第１の態様の書取り学習支援システムにおいて、前記書取り学習画面は、書取り対象の文字又は文字列を手書き入力するため書取り枠を含み、前記学習処理部は、前記書取り枠に対する手書き入力が所定の時間継続して検出されなかったときに、前記書取り対象の文字又は文字列の前記書取り学習を終了する。【００１１】
この構成により、学習者は、書取り学習の反復を終了するために特別な手書き入力を行うことなく、単に手書き入力をやめて時間の経過を待つだけでよい。【００１２】
本発明の第３の態様の書取り学習支援システムは、第１の態様の書取り学習支援システムにおいて、前記書取り学習画面は、前記書取り学習の終了を指示するための終了指示手段を含み、前記学習処理部は、前記終了指示手段に対する指示がされたときに、前記書取り対象の文字又は文字列の前記書取り学習を終了する。【００１３】
この構成により、学習者は、書取り学習画面に設けられた終了指示手段を指示することで書取り学習の反復を終了することができる。【００１４】
本発明の第４の態様の書取り学習支援システムは、第１ないし第３のいずれかの態様の書取り学習支援システムにおいて、前記学習処理部は、前記書取り学習画面に対して手書き入力された文字又は文字列が正しいか否かを判断し、正しい場合に、前記書取り対象の文字又は文字列の前記書取り学習を終了可能とする。【００１５】
この構成により、正しい書取りができた場合に書取り学習の反復を終了することができるので、誤った書取りが行われたまま書取り学習の反復を終了することを回避できる。【００１６】
本発明の第５の態様の書取り学習支援サーバは、画面表示及び手書き入力が可能な学習者端末と通信を行う書取り学習支援サーバであって、前記学習者端末から前記手書き入力の信号を受信し、前記表示入力部に書取り対象の文字又は文字列を反復して手書き入力する書取り学習をするための書取り学習画面を表示させ、前記書取り学習画面を表示した前記表示入力部に対する手書き入力を検出し、前記手書き入力の状態に基づく任意の反復回数で、前記書取り対象の文字又は文字列の前記書取り学習を終了する構成を有している。【００１７】
この構成によっても、書取り学習支援サーバは、表示入力部への手書き入力の状態に基づく反復回数で書取り学習を終了するので、学習者は任意の反復回数で書取り学習を終了することができる。【００１８】
本発明の第６の態様の書取り学習支援装置は、画面表示及び手書き入力が可能な表示入力部と、前記表示入力部に書取り対象の文字又は文字列を反復して手書き入力する書取り学習をするための、書取り学習画面を表示し、前記書取り学習画面を表示した前記表示入力部に対する手書き入力を検出する学習処理部とを備え、前記学習処理部は、前記手書き入力の状態に基づく任意の反復回数で、前記書取り対象の文字又は文字列の前記書取り学習を終了する構成を有している。【００１９】
この構成によっても、学習支援装置は、表示入力部への手書き入力の状態に基づく反復回数で書取り学習を終了するので、学習者は任意の反復回数で書取り学習を終了することができる。【００２０】
本発明の第７の態様の書取り学習支援方法は、画面表示及び手書き入力が可能な学習者端末と通信を行う書取り学習支援サーバにて、前記学習者端末から前記手書き入力の信号を受信し、前記学習者端末に書取り対象の文字又は文字列を反復して手書き入力する書取り学習をするための書取り学習画面を表示させ、前記書取り学習画面を表示した前記学習者端末に対する手書き入力を検出し、前記手書き入力の状態に基づく任意の反復回数で、前記書取り対象の文字又は文字列の前記書取り学習を終了する構成を有している。【００２１】
この構成によっても、書取り学習支援サーバが、表示入力部への手書き入力の状態に基づく反復回数で書取り学習を終了するので、学習者は任意の反復回数で書取り学習を終了することができる。【００２２】
本発明の第８の態様の書取り学習支援プログラムは、画面表示及び手書き入力が可能な表示入力部を備えた書取り学習支援装置のコンピュータに、前記表示入力部に書取り対象の文字又は文字列を反復して手書き入力する書取り学習をするための書取り学習画面を表示させるステップと、前記書取り学習画面を表示した前記表示入力部に対する手書き入力を検出するステップと、前記手書き入力の状態に基づく任意の反復回数で、前記書取り対象の文字又は文字列の前記書取り学習を終了するステップとを実行させる構成を有している。【００２３】
この構成によっても、書取り学習支援装置が、表示入力部への手書き入力の状態に基づく反復回数で書取り学習を終了するので、学習者は任意の反復回数で書取り学習を終了することができる。
【発明の効果】
【００２４】
本発明によれば、表示入力部への手書き入力の状態に基づく反復回数で書取り学習を終了するので、学習者は任意の反復回数で書取り学習を終了することができる。
【図面の簡単な説明】
【００２５】
【図１】本発明の実施の形態の書取り学習支援システムの構成を示す図
【図２】本発明の実施の形態の進捗画面の例を示す図
【図３】本発明の実施の形態の書取り学習画面の例
【図４】本発明の実施の形態の学習処理部の処理を示すフローチャート
【図５】本発明の実施の形態の書取り学習画面の例
【図６】本発明の実施の形態の書取り学習画面の変形例
【発明を実施するための形態】
【００２６】
以下、本発明の実施の形態の書取り学習支援システムについて、図面を参照しながら説明する。なお、以下に説明する実施の形態は、本発明を実施する場合の一例を示すものであって、本発明を以下に説明する具体的構成に限定するものではない。本発明の実施にあたっては、実施の形態に応じた具体的構成が適宜採用されてよい。
【００２７】
図１は、本発明の実施の形態の書取り学習支援システムの構成を示す図である。図１に示すように、書取り学習支援システム１は、書取り学習支援サーバ１０と、データベース２０と、学習者端末３０とで構成される。書取り学習支援サーバ（以下単に「サーバ」という。）１０は、ハードウェア構成としては、ＣＰＵ、メモリ、二次記憶装置、通信モジュール、各種インターフェイス等を備えている。サーバ１０は、インターネットを介して学習者端末３０と通信可能に接続され、学習者端末３０をクライアントとするウェブサーバとして機能する。また、サーバ１０は、データベース２０に接続されており、データベース２０に対する書き込み、読み出し、検索等の処理を行うウェブアプリケーションサーバとしての機能も有している。
【００２８】
データベース２０には、ユーザテーブル２１と、学習コンテンツ２２とが記憶されている。ユーザテーブル２１は、ユーザの情報として、登録情報、進捗情報が記憶されている。学習コンテンツ２２には、書取り学習をするための文字及び文字列が記憶されている。
【００２９】
サーバ１０では、上記のハードウェア構成によってＣＰＵが書取り学習支援プログラムを実行することで、ユーザ管理部１１と、学習処理部１２が構成される。ユーザ管理部１１は、ユーザテーブル２１に対して、書き込み、読み出し、検索等の処理を行うことで、ユーザの登録、認証、進捗管理等の処理を行う。学習処理部１２は、学習コンテンツ２２を読み出して、表示入力部３２に特定の文字又は文字列を反復して書取り学習をするための書取り学習画面を表示させ、書取り学習画面を表示した表示入力部３２に対する手書き入力を検出するとともに、手書き入力の状態に基づいて書取り学習の反復の終了を判断する。
【００３０】
学習者端末３０は、画面表示及び手書き入力が可能な表示入力部３２と、表示入力部３２の画面表示及び手書き入力を制御し、サーバ１０との間で通信を行う演算部３１とを備えている。本実施の形態において、表示入力部３２は、具体的には、専用のペンを用いて手書き入力が可能なタッチパネルである。学習者端末３０は、ハードウェア構成として、ＣＰＵ、メモリ、二次記憶装置、通信モジュール、各種インターフェイス等からなるコンピュータを備えており、典型的にはタッチパネルを備えたタブレットコンピュータである。
【００３１】
以下、書取り学習支援システム１の各構成要素の構成及び動作を具体的に説明する。
【００３２】
ユーザテーブル２１には、ユーザの情報として、少なくとも登録情報と進捗情報が記憶されている。具体的には、ユーザテーブル２１には、登録情報として、氏名、パスワード、学校区分（小学校、中学校）、学年（小１、小２、小３、小４、小５、小６、中１、中２、中３）、進捗情報として、学習中の学年、学習中の月、学習中の（学習月内の）順番が記憶されている。
【００３３】
本実施の形態では、学習コンテンツ２２として、文字（漢字１文字、又はアルファベット１文字）又は文字列（複数の漢字からなる熟語、漢字１文字とその送り仮名、複数のアルファベットからなる単語）の各々について、学習学年、学習月、（学習月内の）順番、書取り対象文字の文字コード、書取り対象文字の読み仮名（あるいは発音記号）、文字のイメージ（画像）が記憶されている。
【００３４】
ユーザ管理部１１は、学習者端末３０からユーザ登録の要求を受けて、学習者端末３０にユーザ登録のためのフォーム画面を送る。学習者端末３０にてフォーム画面の各入力欄に入力する形式でユーザ情報がサーバ１０に送られてくると、ユーザ管理部１１は、この情報をもってユーザテーブル２１に新たなユーザのレコードを立ち上げて、ユーザの情報をユーザテーブル２１に書き込むことで、新規のユーザ登録を行う。
【００３５】
ユーザ管理部１１は、学習者端末３０からのユーザ認証の要求を受けて、学習者端末３３０にユーザ認証のためのログイン画面を送る。ユーザ管理部１１は、学習者端末３０にてログイン画面の各入力欄に入力されたログイン情報（氏名、及びパスワード）が送られてくると、このログイン情報がユーザテーブル２１に記憶されているか否かを判断して、ログイン情報がユーザテーブル２１と照合できた場合に、当該ユーザのログインを許可する。ユーザ管理部１１は、さらに、ログインを許可したユーザ（学習者）について、ユーザテーブル２１から当該学習者の進捗情報を読み出して、進捗画面を生成し、この進捗画面を学習者端末３０に送って、表示入力部３２に表示させる。この進捗画面をサーバ１０から受けた学習者端末３０の演算部３１は、表示入力部３２にこの進捗画面を表示させる。
【００３６】
図２は、進捗画面の例を示す図である。進捗画面２００には、学習者の登録情報として、氏名２０１、学校区分２０２、及び学年２０３が表示される。また、当該学習者の進捗状況として、学習中の学年、及び学習中の月が数直線で示される。図２の例では、小学３年生の学習太郎という氏名の学習者が現在小学５年生の１２月に習うことが予定されている漢字の書取りを学習していることを示している。また、進捗画面２００では、次のステップに進むためまでの書取り学習の残量が示されている。図２の例では、次のステップである次の月に進むのにあと５枚の書取り学習をしなければならないことを示している。
【００３７】
図３は、書取り学習画面の例を示す図である。学習処理部１２は、学習者の進捗状況に応じて、現在実施すべき書取り学習のコンテンツを学習コンテンツ２２から抽出して書取り学習画面３００を生成する。学習処理部１２は、例えば、学習者の進捗状況が、５年生の１２月の４番目を学習済であることを示しているときは、学習コンテンツ２２から５年生の１２月の５番目の文字又は文字列（漢字）の文字コードおよびその読み仮名の文字コードを読み出して、書取り学習画面３００を生成する。図３の例では、文字列の文字コードが読み出されて、これらの文字コードをコード表に従って変換することで書取り学習画面３００が生成されている。学習処理部１２は、生成した学習画面３００を学習者端末３０に送信し、学習者端末３０の表示入力部３２はこれを表示する。
【００３８】
書取り学習画面３００は、当該ページの書取り学習の経過時間を示すインジケータ３０１と、当該ページの書取り学習の経過時間を示す経過時間表示部３０２と、書取りエリア３０３とを含む。インジケータ３０１及び経過時間表示部３０２は、当該ページの書取り学習を開始した後の経過時間を示している。書取りエリア３０３には、複数の書取り枠３０４が設けられ、その一つには書取りを行うべき文字又は文字列があらかじめ表示されており、各書取り枠の横には書取りを行うべき文字の読み仮名が表示されている。
【００３９】
学習者が、書取り学習画面３００が表示された学習者端末３０の表示入力部３２の書取り枠３０４に対応する位置に手書き入力（ペン入力）を行うと、その入力情報は演算部３１を経て学習者端末３０からサーバ１０に送信される。
【００４０】
図４は、書取り学習画面３００が表示された後の学習処理部１２の処理を示すフローチャートである。学習処理部１２は、まず、表示入力部３２の書取り枠３０４に手書き入力があるか否かを判断する（ステップＳ４１）。最初の手書き入力がない場合には（ステップＳ４１にてＮＯ）、他の処理をせずに最初の手書き入力があるまで待つ。手書き入力があった場合には、その手書き入力がなくなったかを判断する（ステップＳ４２）。手書き入力が継続する場合には（ステップＳ４２にてＮＯ）、手書き入力がなくなるまで待つ。
【００４１】
手書き入力がなくなると（ステップＳ４２にてＹＥＳ）、手書き入力がなくなってから２秒経過したか否かを判断する（ステップＳ４３）。２秒経過していない場合には（ステップＳ４３にてＮＯ）、再度の手書き入力があるか否かを判断する（ステップＳ４４）。再度の手書き入力がない場合には（ステップＳ４４にてＮＯ）、ステップＳ４３に戻って再び２秒が経過したかを判断する（ステップＳ４４）。２秒が経過する前に再度の手書き入力があった場合は（ステップＳ４４にてＹＥＳ）、ステップＳ４２に戻ってその入力がなくなったかを判断する（ステップＳ４２）。
【００４２】
入力がなくなってから再度の入力がないまま２秒が経過したときは（ステップＳ４３にてＹＥＳ）、学習処理部１２は、当該書取り枠３０４への手書き入力が終わったものとみなして、当該書取り枠３０４に手書き入力された文字が正確であるか否かを判断する（ステップＳ４５）。このとき、学習処理部１２は、手書き入力された文字に対して文字認識を行い、認識された文字の文字コードと学習コンテンツ２２に記憶されている該当する書取り対象文字の文字コードとが一致するか否かにより、手書き入力された文字が正確であるか否かを判断する。また、学習処理部１２は、これに代えて、又はこれに加えて、手書き入力された文字のイメージ（画像）と該当する書取り対象文字のイメージ（画像）とのマッチングを行って、そのスコアが所定の閾値である場合に正確であると判断してもよい。
【００４３】
手書き入力された文字が正確である場合は（ステップＳ４５でＹＥＳ）、当該手書き入力された文字に対して正解表示をする（ステップＳ４６）。本実施の形態では、正解表示として、図３に示すように、手書き入力された文字に対して丸印（あるいはチェック印でもよい）を表示する。手書き入力された文字が不正確である場合は（ステップＳ４５でＮＯ）、当該手書き入力された文字に対して不正解表示をする（ステップＳ４７）。本実施の形態では、不正解表示として、図５に示すように、手書き入力された文字に対してバツ印を表示する。
【００４４】
次に、学習処理部１２は、手書き入力があるか否かを判断する（ステップＳ４８）。手書き入力があった場合には（ステップＳ４８にてＹＥＳ）、最初の入力があった場合（ステップＳ４１でＹＥＳ）と同様に、ステップＳ４２に戻って、その手書き入力がなくなるのを待つ（ステップＳ４２）。手書き入力がない場合には（ステップＳ４８でＮＯ）、ステップＳ４３にて２秒が経過してからさらに３秒が経過したか否か、すなわち、ステップＳ４２で手書き入力がなくなってから５秒が経過したか否かを判断する（ステップＳ４９）。
【００４５】
３秒が経過していない場合は（ステップＳ４９でＮＯ）、ステップＳ４８に戻って手書き入力があったか否かを判断する（ステップＳ４８）。手書き入力がないまま３秒が経過した場合（ステップＳ４９でＹＥＳ）、すなわち、ステップＳ４３で手書き入力がなくなってから５秒が経過した場合には、次の文字又は文字列の書取り学習を行うための次のページに移行する（ステップＳ５０）。ステップＳ５０では、学習処理部１２は、学習コンテンツ２２を参照して、次の文字又は文字列の書取り学習画面３００を生成して、学習者端末３０に送信する。
【００４６】
本実施の形態の学習支援システム１は、学習者が各家庭で学習者端末３０を用いて学習を行うことも可能であるが、学習塾のように所定の場所、所定の時間（帯）に学習者が集合して、そこで学習者が学習者端末３０を用いて学習を行うという集合学習に適用することもできる。このように所定の場所、所定の時間（帯）で学習を行うという集合学習については、専門の指導者が学習者による学習端末３０を用いた学習をサポートとすることができ、学習を怠けがちな学習者に対しても学習を促すことが可能となり、また、学習者が他の学習者との競争意識を持つことで学習がされる等の種々のメリットがある。
【００４７】
また、従来は、紙の教材を用いた書取り学習が集合学習で行われており、上記の種々のメリットが得られていた。以下では、従来の紙教材から本実施の形態の学習支援システム１に代えた場合、ないしは、学習支援システム１が上記のような集合学習に用いられる場合において、特に有効な種々の機能について説明する。
【００４８】
（学習済量の可視化）
従来、紙の教材を用いていた時には、学習済の紙教材をファイルしてストックしていくことで、学習者がこれまでに学習した量が、ストックされた学習済の紙教材の物理的な量（厚さ、ファイルの冊数）によって可視化されていた。本実施の形態では、学習者は学習者端末３０を用いて書取り学習を行い、学習の進捗状況は、データベース２０に電子的に記憶される。
【００４９】
そこで、本実施の形態では、ユーザ管理部１１は、学習の進度を示す進捗画面２００の他に、当該学習者がこれまでに学習した量（学習済量）を示すゲージを表示する画面を生成してよい。また、学習済量が所定量に達した場合に、褒賞のメッセージを表示し、あるいはゲージを強調する等のイベントを発生するようにしてもよい。
【００５０】
すなわち、本実施の形態の学習支援システム１は、学習済量を可視化する画像を生成するユーザ管理部２１を備えている。
【００５１】
（書取りが不正確な場合の指導）
従来の集合学習では、学習者が不正確な書取りをした場合に、指導者が紙教材に書き込みをすることで、学習者の何がどのように不正確であったのか指導することができた。しかしながら、典型的にはタブレットコンピュータである学習者端末３０を用いる場合には、指導者による任意の個所への任意の書き込みができない。また、従来の集合学習の場合には、学習者の間違えをリアルタイムで把握して修正することができず、学習者が不正確な文字を何度も書取り学習してしまうという問題があった。
【００５２】
そこで、学習支援システム１では、学習処理部１２が、手書き入力された文字又は文字列が正確であるか否かを判断し（ステップＳ４５でＮＯ）、手書き入力された文字又は文字列が不正解である場合には不正確表示（ステップＳ４７）とともに、手書き入力された文字又は文字列のどこが不正確であるのかを表示する。これにより、学習者が不正確な書取りを何度も行うことによって不正確な文字を覚えてしまう可能性を低減できる。
【００５３】
すなわち、本実施の形態の学習支援システム１は、書取り学習が不正確な場合に不正確な個所を示す表示をする学習処理部１２を備えている。
【００５４】
（学習状況の保護者による確認）
ユーザ管理部１１は、ユーザテーブル２１を参照して、保護者用画面を生成する。学習者端末３０はサーバ１０にアクセスしてサーバ１０からこの保護者画面を受信し、表示することができる。また、保護者画面は、学習者端末３０以外の保護者が所持する任意の端末（例えば、スマートフォン、ＰＣ、タブレットコンピュータ等）からサーバ１０にアクセスして、サーバ１０からこの保護者画面を受信し、表示することができる。保護者画面には、学習した文字及び文字列の一覧、正答率、進捗スピード、集中状況を表示する。
【００５５】
すなわち、本実施の形態の学習支援システム１は、学習者の学習状況を示す保護者画面を生成するユーザ管理部１１を備えている。
【００５６】
（適切なタイミングでの褒賞）
従来、教室内で紙教材を用いて集合学習を行っていたときには、各学習者は一定量の紙教材を手元に用意して、各自の席で書取り学習を行い、手元の紙教材の学習をすべて終えると、先生の席まで持っていき、あるいは先生が学習者の席まで取りにいくという授業形式がとられていた。学習者が学習済の紙教材を指導者の席に持っていくことで、指導者は、一定量の学習を終えた学習者を褒め、あるいは指導をすることができた。
【００５７】
しかしながら、本実施の形態の学習支援システム１によれば、一定量の学習を終えたタイミングで指導者に提出する必要がなく、指導者は一定量の学習をした学習者を褒め、あるいは指導するきっかけを得ることが困難である。そこで、本実施の形態の学習処理部１２は、特定の条件（トリガ）を満たした場合に、学習者端末３０の表示入力部３２にポップアップを表示させて、褒章のきっかけを作る。
【００５８】
ポップアップには、学習者に対するメインメッセージとサブメッセージが表示される。メインメッセージは、指導者とのコミュニケーションをとることを促すメッセージであり、具体的には、指導者を呼ぶことを促すメッセージと、指導者の席まで行くことを促すメッセージとの２種類がある。サブメッセージは、学習者に対して褒賞、激励、注意等を与えるメッセージである。サブメッセージの具体的な内容は、トリガに応じて選択される。
【００５９】
トリガとそれに対応するサブメッセージとの組み合わせの例は以下のとおりである。学習者端末３０において授業モードが起動されることをトリガとして、その週の宿題の枚数を示すサブメッセージが表示される。授業モードが起動してから３０分を経過した時点で進捗が目標ページ数の半分以上進んでいることをトリガとして、よいペースで学習していることをほめるサブメッセージが表示される。授業モードが起動してから３０分を経過した時点で進捗が目標ページ数の半分未満であることをトリガとして、ペースを上げて学習を進めることを促す激励のサブメッセージが表示される。
【００６０】
「月」（もしくは「学年」）が上がったことをトリガとして、その進捗をほめるサブメッセージが表示される。表示された問題のすべてを１回で正解した画面が所定数連続したことをトリガとして、連続で正解していることを褒めるサブメッセージが表示される。手書き入力された同じ文字又は文字列について所定回数連続して不正確であったことをトリガとして、丁寧に取り組むことを促すサブメッセージが表示される。
【００６１】
画数の間違えによって不正確になる回数が所定数以上になったことをトリガとして、注意を喚起するサブメッセージが表示される。授業モードでの学習が終了したことをトリガとして、労をねぎらうサブメッセージが表示される。
【００６２】
なお、サブメッセージを確認した指導者は、サブメッセージの内容に沿って学習者に、適切なタイミングで適切な内容の褒賞、激励、注意等の声掛けをすることができる。声掛けのタイミング及び内容が指導者個人の経験や力量に依存しがちであるところ、この機能によれば、指導者の経験や力量によらずに適切なタイミング及び内容で声掛けをすることができる。なお、ポップアップにはポップアップを閉じるためのボタンが表示されており、指導者は学習者に声掛けを行った後にポップアップを閉じることができる。
【００６３】
すなわち、本実施の形態の学習支援システム１は、所定のトリガに応じて、指導者が学習者に声掛けをすることを促すポップアップを表示する学習処理部１２を備えている。
【００６４】
（効果音）
従来、紙教材を用いた集合学習においては、複数の学習者が教室に集まって各自で学習に取り組むにあたって、学習を進める際に、紙学習の頁を進める際の紙をめくる音、書取り学習を進める際の鉛筆で書く音が教室内で発生し、各学習者は周りの他の学習者の学習が進んでいることを音で確認でき、そのことが各学習者の集中力を高めるという効果があった。
【００６５】
そこで、本実施の形態の学習支援システム１では、学習者端末３０の演算部３１は、手書き入力に対応して鉛筆で書く効果音を出力し、頁を次に進める操作がされたときに、紙をめくる効果音を出力する。これにより、各学習者は、教室内で他の学習者が学習を進めていることを効果音で体感でき、集中力を高めることができる。
【００６６】
すなわち、本実施の形態の学習支援システム１は、学習が進んでいることを示す効果音を出力する演算部３１を備えている。
【００６７】
以上のように、本実施の形態の書取り学習支援システム１では、学習者が、用意されたすべての書取り枠３０４に対して書取りを行わなくても、書取りをやめた時点で、学習処理部１２によって自動的に次のページに移行する。すなわち、学習者は、書取り学習支援システム１によってあらかじめ用意された書取り回数に満たなくても、当該書取り対象文字又は文字列の書取り学習を終了して、次の文字又は文字列の書取り学習に移行できる。よって、学習者は、自らがもう覚えた、ないし習得した、と感じた任意の段階で書取りの反復を終了して、次の文字又は文字列の書取り学習に移行でき、適切な反復回数で書取り学習を行うことができる。
【００６８】
（変形例）
上記の実施の形態では、手書き入力によって書取りが行われた文字が不正確であった場合にも（ステップＳ４５にてＮＯ）、不正確表示をするのみで（ステップＳ４７）、他の書取り枠３０４への手書き入力や次ページへの移行が可能であったが、不正確であった場合に、学習処理部１２は、不正確表示をするとともに、当該不正確な手書き入力をキャンセルして正確な書取りが行われるまで、他の書取り枠３０４への手書き入力や次ページへの移行ができないようにしてもよい。このために、書取り学習画面３００において、書き直しを指示するボタンを設けてもよい。この書き直しボタンが指示されると、学習処理部１２は、不正確に手書き入力された文字を消去して、学習者に再度の手書き入力を促す。
【００６９】
学習コンテンツ２２として記憶される文字及び文字列には、書き順の情報が含まれていてよく、この場合に、学習処理部１２は、ステップＳ４１及びステップＳ４４にて手書き入力があるごとにその書き順を記憶して、手書き入力された文字が正確か否かを判断する際に（ステップＳ４５）、その手書き入力された文字の書き順が学習コンテンツ２２に記憶された書き順と一致するかを判断し、一致しない場合に不正確表示４７をするようにしてもよい。
【００７０】
また、図３に例示した書取り学習画面３００では、あらかじめ書取り枠３０４が複数設けられていたが、書取り枠３０４は１つの文字又は文字列を書き取る分だけでもよい。図６は、この変形例の書取り学習画面３００´を示す図である。書取り学習画面３００´は、２文字の文字列の書取りを行うための画面であり、書取り枠が２つ設けられている（第１の文字を書き取るため書取り枠３０４１と、第２の文字を書き取るための書取り枠３０４２）。また、その隣には、書取り対象文字列３０５が表示されている。
【００７１】
また、書取り学習画面３００´には、書取りの反復回数３０６と、書取りの反復を終了するための終了ボタン３０７と、書取りを反復するための反復ボタン３０８とが表示されている。
【００７２】
上記の実施の形態では、手書き入力された文字が正確であるか否かを判断した後に（ステップＳ４５〜Ｓ４７）、他の枠への入力があるか否かを判断したが（ステップＳ４８）、この変形例では、学習処理部１２は、第１の文字と第２の文字が手書き入力された後には、ステップＳ４８の代わりに、反復ボタン３０８が指示されたか否かを判断する。反復ボタン３０８が指示された場合には、学習処理部１２は、反復回数３０６をカウントアップして、書取り枠３０４１、３０４２に手書き入力された文字を消去し、さらなる文字入力を待つ。また、学習処理部１２は、手書き入力がないまま３秒が経過したか否かを判断する（ステップＳ４８〜Ｓ４９）代わりに、終了ボタン３０７が指示されたか否かを判断する。終了ボタン３０７が指示された場合には、学習処理部１２は、ステップＳ５０と同様にして、次のページに移行する処理を行う。
【００７３】
また、上記の実施の形態では、手書き入力が所定時間なかった場合に、その書取り対象の文字又は文字列の書取り学習を終了し、変形例では終了ボタン３０７が指示されることにより、その書取り対象の文字又は文字列の書取り学習を終了したが、書取り学習の終了を判断する方法はこれに限られない。例えば、学習者端末３０がマイクと音声認識ソフトを備え、マイクに所定の文言が音声入力されたときに、書取り学習を終了させてもよい。また、表示入力部３２に表示された書取り学習画面に対して、スワイプ、フリック、ダブルタップ、ピンチイン、ピンチアウト、長押し、所定の形状入力（例えば円形）等の入力がされたときに、書取り学習を終了させてもよい。さらに、書取り学習画面に表示された書取り対象の文字又は文字列（見本）をなぞることで、書取り学習を終了してもよい。
【００７４】
また、上記の実施の形態では、書取り学習支援システム１の構成要素が、サーバ１０と、データベース２０と、学習者端末３０とに分散されて配置されていたが、各構成要素の配置はこれに限られない。例えば、データベース２０の構成がサーバ１０に含まれており、データベース２０とサーバ１０とが一体の装置として構成されてもよい。また、書取り学習支援システム１のすべての構成要素が学習者端末３０に備えられ、学習者端末３０がスタンドアロンで書取り学習システム１を構成していてもよい。この場合には、学習者端末３０が書取り学習支援プログラムを実行することで、上記の書取り学習システム１の構成要素を含む書取り学習支援装置が実現される。
【産業上の利用可能性】
【００７５】
本発明は、表示入力部への手書き入力の状態に基づく反復回数で書取り学習を終了するので、学習者は任意の反復回数で書取り学習を終了することができるという効果を有し、書取り学習を支援する書取り学習支援システム等として有用である。
【図１】
2018105203.tif 000003
【図２】
2018105203.tif 000004
【図３】
2018105203.tif 000005
【図４】
2018105203.tif 000006
【図５】
2018105203.tif 000007
【図６】
2018105203.tif 000008
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
画面表示及び手書き入力が可能な表示入力部と、
前記表示入力部に書取り対象の文字又は文字列を反復して手書き入力する書取り学習をするための書取り学習画面を表示させ、前記書取り学習画面を表示した前記表示入力部に対する手書き入力を検出する学習処理部と、
を備え、
前記書取り学習画面は、書取り対象の文字又は文字列を手書き入力するため書取り枠を含み、
前記学習処理部は、前記書取り枠に対する手書き入力が所定の時間継続して検出されなかったときに、前記書取り対象の文字又は文字列の前記書取り学習を終了して、次の書取り対象の文字又は文字列の書取り学習に移行する、書取り学習支援システム。
【請求項２】
（削除）
【請求項３】
前記書取り学習画面は、前記書取り学習の終了を指示するための終了指示手段を含み、
前記学習処理部は、前記終了指示手段に対する指示がされたときに、前記書取り対象の文字又は文字列の前記書取り学習を終了する、請求項１に記載の書取り学習支援システム。
【請求項４】
前記学習処理部は、前記書取り学習画面に対して手書き入力された文字又は文字列が正しいか否かを判断し、正しい場合に、前記書取り対象の文字又は文字列の前記書取り学習を終了可能とする、請求項１ないし３のいずれかに記載の書取り学習支援システム。
【請求項５】
画面表示及び手書き入力が可能な学習者端末と通信を行う書取り学習支援サーバであって、
前記学習者端末から前記手書き入力の信号を受信し、
前記表示入力部に書取り対象の文字又は文字列を反復して手書き入力する書取り学習をするための書取り学習画面を表示させ、
前記書取り学習画面を表示した前記表示入力部に対する手書き入力を検出し、
前記書取り学習画面は、書取り対象の文字又は文字列を手書き入力するため書取り枠を含み、
前記書取り枠に対する手書き入力が所定の時間継続して検出されなかったときに、前記書取り対象の文字又は文字列の前記書取り学習を終了して、次の書取り対象の文字又は文字列の書取り学習に移行する、
書取り学習支援サーバ。
【請求項６】
画面表示及び手書き入力が可能な表示入力部と、
前記表示入力部に書取り対象の文字又は文字列を反復して手書き入力する書取り学習をするための書取り学習画面を表示させ、前記書取り学習画面を表示した前記表示入力部に対する手書き入力を検出する学習処理部と、
を備え、
前記書取り学習画面は、書取り対象の文字又は文字列を手書き入力するため書取り枠を含み、
前記学習処理部は、前記書取り枠に対する手書き入力が所定の時間継続して検出されなかったときに、前記書取り対象の文字又は文字列の前記書取り学習を終了して、次の書取り対象の文字又は文字列の書取り学習に移行する、書取り学習支援装置。
【請求項７】
画面表示及び手書き入力が可能な学習者端末と通信を行う書取り学習支援サーバにて、
前記学習者端末から前記手書き入力の信号を受信し、
前記学習者端末に書取り対象の文字又は文字列を反復して手書き入力する書取り学習をするための書取り学習画面を表示させ、
前記書取り学習画面を表示した前記学習者端末に対する手書き入力を検出し、
前記書取り学習画面は、書取り対象の文字又は文字列を手書き入力するため書取り枠を含み、
前記学習処理部は、前記書取り枠に対する手書き入力が所定の時間継続して検出されなかったときに、前記書取り対象の文字又は文字列の前記書取り学習を終了して、次の書取り対象の文字又は文字列の書取り学習に移行する、
書取り学習支援方法。
【請求項８】
画面表示及び手書き入力が可能な表示入力部を備えた書取り学習支援装置のコンピュータに、
前記表示入力部に書取り対象の文字又は文字列を反復して手書き入力する書取り学習をするための書取り学習画面を表示させるステップと、
前記書取り学習画面を表示した前記表示入力部に対する手書き入力を検出するステップと、
前記書取り枠に対する手書き入力が所定の時間継続して検出されなかったときに、前記書取り対象の文字又は文字列の前記書取り学習を終了して、次の書取り対象の文字又は文字列の書取り学習に移行するステップと、
を実行させる書取り学習支援プログラム。
【国際調査報告】
2018105203.tif 000009
2018105203.tif 000010
2018105203.tif 000011